(57)【要約】      （修正有）【課題】受尿器が袋状といった簡素な構成で取り扱い易くなり、手際よく簡易かつ迅速に排尿処理可能で、併せて安価で使い勝手のよい使い捨て排尿具を提供する。【解決手段】男性の泌尿器２’に挿通可能で着脱可能な可撓性リング３’と、可撓性リングに連通状態に連結され伸縮可能に設けられ、泌尿器からの排尿を受ける有底筒状の受尿器４’と、受尿器の内部に設けられて排尿を吸収する吸収体とを備える。受尿器を収縮させた状態で、泌尿器を可撓性リングから受尿器に挿通して、受尿器を使用者の身体に装着する。【選択図】図１Ａ
2020062397.tif 000002
【特許請求の範囲】
【請求項１】
男性の泌尿器に挿通可能で着脱可能な可撓性リングと、
前記可撓性リングに連通状態に連結され、前記可撓性リングに対して伸縮可能に設けられ、前記泌尿器からの排尿を受ける有底筒状の受尿器と、
前記受尿器の内部に設けられて前記排尿を吸収する吸収体とを備え、
前記受尿器を収縮させた状態で、前記泌尿器を前記可撓性リングから前記受尿器に挿通し、前記受尿器を前記男性の身体に装着するようにしたことを特徴とする使い捨て排尿具。
【請求項２】
前記可撓性リングの上端の左右にそれぞれ取り付けられた左紐帯および右紐帯とを備える請求項１記載の使い捨て排尿具。
【請求項３】
前記左紐帯に設けられた第１ファスナーと、
前記右紐帯に設けられた第２ファスナーと、
前記可撓性リングの下端から延出され、先端にフック部を有する中間紐帯とを備え、
前記泌尿器を前記可撓性リングから前記受尿器に挿通した状態で、前記左紐帯および前記右紐帯を前記男性の腹部の回りに配置して前記男性の背後で前記第１ファスナーと前記第２ファスナーとを重ね合せた重合部で連結接合し、前記中間紐帯を前記男性の股下を潜らせて、前記フック部を前記腹部の前記背後で前記重合部に引っ掛けることにより、前記受尿器を前記男性の前記身体に装着するようにした請求項２記載の使い捨て排尿具。
【請求項４】
前記受尿器には、前記排尿を受けた後において前記可撓性リングの開口部分を閉塞状態で封止する粘着テープが設けられている請求項１記載の使い捨て排尿具。
【請求項５】
前記可撓性リングおよび前記受尿器は、前記男性が着用するパンツ型下着の股当て部の内側に配置可能とされてなる請求項１記載の使い捨て排尿具。
【請求項６】
前記受尿器は前記男性の陰茎部および陰嚢部を一括して収容可能な大きさに形成され、前記可撓性リングは前記陰茎部および前記陰嚢部の根元に係合するよう大きさが定められている請求項１記載の使い捨て排尿具。
【請求項７】
男性が着用するパンツ型下着と、請求項１に記載の使い捨て排尿具とからなり、
前記パンツ型下着の前記股当て部に、前記泌尿器を収容した前記可撓性リングおよび前記受尿器を挿脱可能に装着する収容管部を設けたことを特徴とする排尿具セット。
【請求項８】
男性が着用する吸収シートを有したおむつと、請求項１記載の使い捨て排尿具とからなり、
前記おむつの前記吸収シートの股当て部には前記使い捨て排尿具に対応する窪み部が設けられるとともに、該窪み部の内底部にスリット状の切込み開口部が形成され、
前記使い捨て排尿具の前記受尿器が収縮状態で前記窪み部に設置され、排尿を受けて伸長した前記受尿器を前記切込み開口部から前記おむつの外部に突き出させるようにしたことを特徴とする排尿具セット。
【請求項９】
男性が着用するパンツ型おむつと、請求項１記載の使い捨て排尿具とからなり、
前記使い捨て排尿具の前記可撓性リングおよび前記受尿器は、前記男性が着用するパンツ型おむつの股当て部の内側に配置可能とされてなり、
前記パンツ型おむつの股当て部にスリット状の切込み開口部が設けられ、前記排尿を受けて伸長した前記使い捨て排尿具の前記受尿器、前記切込み開口部にて前記パンツ型おむつの外部に突き出すようにしたことを特徴とする排尿具セット。
【請求項１０】
女性の泌尿器に当接可能な可撓性リングと、
前記可撓性リングに連通状態に連結され、矩形の上シートと矩形の下シートとを上下に配置することで袋状に構成した受尿器と、
前記受尿器の内部に設けられて排尿を吸収する吸収体とを備え、
前記女性が着用する女性用ショーツの股当て部に前記受尿器を設置し、前記泌尿器を前記可撓性リングに当接させた状態で前記女性の身体に装着するようにしたことを特徴とする使い捨て排尿具。
【発明の詳細な説明】
【技術分野】
【０００１】
本発明は、腰部に装着する使い捨て排尿具及びそれを用いた排尿具セットに係り、とりわけ、排尿時の尿処理を手際よく迅速に行えるように改良した使い捨て排尿具及び排尿具セットに関する。
【背景技術】
【０００２】
排尿処理に適用可能な受尿器および収尿器として、特許文献１に記載の排尿処理具がある。この排尿処理具は、疾病による尿失禁患者やトイレへの歩行に困難を伴う患者に適用される。使用時には、受尿器を装着ベルトで患者の身体に取付け、患者自身の泌尿器を円筒状の受尿器に挿入し、連結ホースを通じて収尿器に蓄尿している。
【０００３】
また、使い捨て排尿袋としては、特許文献２に記載され、おむつやミニトイレに利用する排尿処理具がある。この排尿袋は、取っ手を有する長方形状のビニール袋と、ビニール袋の中央部に設けた開口部と、開口部の周辺に設けた粘着テープを備えている。
【０００４】
排泄時には、ベッド上やベッドサイドで粘着テープを使用者の局部（陰茎、会陰、肛門など）の外周囲（表皮面）に貼着し、開口部を通してビニール袋内に排尿および排便を受けて収容するようになっている。なお、粘着テープが直接的に地肌への接触となるのを嫌う場合、衣類などの下端がカットされた開きのあるデザインを用いることもある。
【先行技術文献】
【特許文献】
【０００５】
【特許文献１】特開２００２−２２４１５２号公報
【特許文献２】特許第５６２６５５３号公報
【発明の概要】
【発明が解決しようとする課題】
【０００６】
特許文献１の構成は、身体への装着具として受尿器、収尿器、装着ベルトおよび連結ホースなどの多くの部品が必要であり、また、装着者の移動の自由が束縛されるおそれもある。
【０００７】
特許文献２の構成は、汚物処理に際して使用開始から終了まで細心さと配慮が必要とされる上、局部の外周囲に粘着テープで貼着する構成なので取り扱いが面倒である。さらに、採尿の姿勢は立位であり、採便の場合はスクワットのしゃがんだ体位となるので、使用者にとって煩わしく、手際よく簡易かつ迅速に排尿・排便を処理できない問題がある。
【０００８】
本発明は上記の事情を考慮してなされたもので、その目的は、簡素な構成で、取り扱い易く、手際よく簡易かつ迅速に排尿処理可能で、併せて安価で使い勝手のよいといった実用的に優れた使い捨て排尿具と、それを用いた排尿具セットとを提供することにある。
【課題を解決するための手段】
【０００９】
上記の課題を解決するために、本発明の使い捨て排尿具の第一の構成は、男性の泌尿器に挿通可能で着脱可能に可撓性リングと、可撓性リングに連通状態に連結され、可撓性リングに対して伸縮可能に設けられ、泌尿器からの排尿を受ける有底筒状の受尿器と、受尿器の内部に設けられて排尿を吸収する吸収体とを備え、受尿器を収縮させた状態で、泌尿器を可撓性リングから受尿器に挿通し、受尿器を男性の身体に装着するようにしたことを特徴とする。
【００１０】
上記構成によると、男性の泌尿器に挿通可能な可撓性リングを着脱可能に設け、受尿器で排尿を受けることができる。この構成により、排尿は有底筒状の受尿器の大きな容積で漏れることなく溜められ、排尿後に可撓性リングを受尿器と一緒に取り外すことで排尿処理を行うことができる。このため、受尿器が簡素な構成で取り扱い易くなり、手際よく簡易かつ迅速に排尿処理可能で、併せて安価で使い勝手のよいものである。
【００１１】
上記本発明の使い捨て排尿具の第一においては、可撓性リングの上端の左右にそれぞれ取り付けられた左紐帯および右紐帯を設けることができる。該構成においては、さらに、左紐帯に設けられた第１ファスナーと、右紐帯に設けられた第２ファスナーと、可撓性リングの下端から延出され、先端にフック部を有する中間紐帯とを設けることができる。この場合、泌尿器を可撓性リングから受尿器に挿通した状態で、左紐帯および右紐帯を男性の腹部の回りに配置して男性の背後で第１ファスナーと第２ファスナーとを重ね合せた重合部で連結接合し、中間紐帯を男性の股下を潜らせて、フック部を腹部の背後で重合部に引っ掛けることにより、受尿器を男性の身体に装着する。これにより受尿器を男性の身体にしっかりと確実に装着させることができる。
【００１２】
受尿器には、排尿を受けた後において可撓性リングの開口部分を閉塞状態で封止する粘着テープを設けることができる。これにより、排尿を受尿器に封止状態に溜めることが可能となり、排尿を溜めた受尿器をそのまま廃棄処理できて便利である。
【００１３】
また、可撓性リングおよび受尿器は、男性が着用するパンツ型下着の股当て部の内側に配置可能に構成することができる。これにより、パンツ型下着を可撓性リングおよび受尿器を保持する手段として利用できる利点を生ずる。
【００１４】
次に、本発明の排尿具セットの第一は、男性が着用するパンツ型下着と、上記本発明の第一にかかる使い捨て排尿具とからなり、パンツ型下着の股当て部に、泌尿器を収容した可撓性リングおよび受尿器を挿脱可能に装着する収容管部を設けたことを特徴とする。これにより、パンツ型下着の装着時に泌尿器を伸長させて受尿器に収容させた状態で収容管部内に装着させることができる。
【００１５】
また、本発明の排尿具セットの第二は、男性が着用する吸収シートを有したおむつと、上記本発明の第一にかかる使い捨て排尿具とからなり、おむつの吸収シートの股当て部には使い捨て排尿具に対応する窪み部が設けられるとともに、該窪み部の内底部にスリット状の切込み開口部が形成され、使い捨て排尿具の受尿器が収縮状態で窪み部に設置され、排尿を受けて伸長した受尿器を切込み開口部からおむつの外部に突き出させるようにしたことを特徴とする。この構成によると、伸張した受尿器がおむつの切込み開口部から外部に突き出るため、男性に違和感を与えず、快適な装着性を損なうことがない。
【００１６】
さらに、本発明の排尿具セットの第三は、男性が着用するパンツ型おむつと、上記本発明の第一にかかる使い捨て排尿具とからなり、使い捨て排尿具の可撓性リングおよび受尿器は、男性が着用するパンツ型おむつの股当て部の内側に配置可能とされてなり、パンツ型おむつの股当て部にスリット状の切込み開口部が設けられ、排尿を受けて伸長した使い捨て排尿具の受尿器を、切込み開口部にてパンツ型おむつの外部に突き出すようにしたことを特徴とする。この構成によると、排尿を受けて伸長した受尿器が切込み開口部から外部に突き出るため、伸長した受尿器がパンツ型おむつ内に止まらなくなり、使用者に違和感を与えず、快適な装着性を損なうことがない。
【００１７】
本発明の使い捨て排尿具の第二は、女性の泌尿器に当接可能な可撓性リングと、可撓性リングに連通状態に連結され、矩形の上シートと矩形の下シートとを上下に配置することで袋状に構成した受尿器と、受尿器の内部に設けられて排尿を吸収する吸収体とを備え、女性が着用する女性用ショーツの股当て部に受尿器を設置し、泌尿器を可撓性リングに当接させた状態で女性の身体に装着するようにしたことを特徴とすることを特徴とする。この構成によると、排尿後に可撓性リングを受尿器と一緒に取り外すことで排尿処理を行うことができる。このため、受尿器が簡素な構成で取り扱い易くなり、手際よく簡易かつ迅速に排尿処理可能で、併せて安価で使い勝手のよいものである。
【発明の効果】
【００１８】
本発明の作用及び効果の詳細については、「課題を解決するための手段」の欄にすでに記載したので、ここでは繰り返さない。
【図面の簡単な説明】
【００１９】
【図１Ａ】本発明の使い捨て排尿具の第一にかかる一実施形態を、使用者への装着形態とともに説明する図。
【図１Ｂ】図１Ａの使い捨て排尿具を伸長状態にて示す斜視図。
【図２Ａ】本発明の使い捨て排尿具の第一において、排尿具を粘着テープで封止する構成を作用とともに示す斜視図。
【図２Ｂ】歯列部と凹列部とを液密に係合可能とした撓性リングの構成例を示す図。
【図２Ｃ】図２Ｂの構成の可撓性リングを有する使い捨て排尿具を閉塞状態で示す斜視図。
【図３】本発明の使い捨て排尿具の第一とパンツ型下着とからなる排尿具セットの一例を示す分解斜視図。
【図４Ａ】粘着テープで受尿器の開口部を封止する操作を説明する斜視図。
【図４Ｂ】図４Ａに続く斜視図。
【図４Ｃ】図４Ｂに続く斜視図。
【図４Ｄ】図４Ｃに続く斜視図。
【図５Ａ】本発明の使い捨て排尿具の第一とおむつとからなる排尿具セットの一例を作用とともに示す図。
【図５Ｂ】図５ＡのＡ−Ａ断面図。
【図６】本発明の使い捨て排尿具の第一とパンツ型おむつとからなる排尿具セットの一例を作用とともに示す図。
【図７】本発明の使い捨て排尿具にかかる一実施形態を示す説明図。
【発明を実施するための形態】
【００２０】
以下、本発明の種々の実施の形態について説明する。
（実施の形態１）
図１Ａは、本発明の使い捨て排尿具の第一にかかる実施形態を示すものである。
該使い捨て排尿具１’は、男性の泌尿器２’（陰茎部２ａ’および陰嚢部２ｂ’）に挿通可能な可撓性リング３’が着脱可能に設けられている。可撓性リング３’は、例えばシリコーン樹脂により泌尿器２’の外周囲の大きさに応じた内径寸法を有するように形成されている。
【００２１】
可撓性リング３’には、有底筒状の受尿器４’が可撓性リング３’に連通状態に連結され、可撓性リング３’に対して伸縮可能に設けられるとともに、泌尿器２’からの排尿を受ける。受尿器４’は防水性であり、例えば、天然ゴム系ラテックス（合成ゴム系ラテックスでもよい）あるいはポリウレタン系などの弾性体として、可撓性リング３の内径に応じた開口径を有するように形成されている。
【００２２】
受尿器４’の外周側は、受尿器４’の軸方向Ｅに沿って伸縮し易いように、緩やかに連続起伏するベローズ風に仕立てられている。受尿器４’は、その内部に排尿を吸収する吸収体５’が吸水コアとして設けられており、図１Ａに示す装着時の収縮位置Ｈ１と図１Ｂに示す排尿時の伸長位置Ｈ２との間で自在に伸縮変形する。吸収体５’は、図１Ｂに示すように、受尿器４’の内周面に沿って設けられており、該内周面に貼着状態に設けてもよい。受尿器４’は、外周側の厚み寸法が０．０１ｍｍ〜０．０５ｍｍといったように極薄のため、ベローズ仕立ては要件ではなく、必要に応じて設ければよい。
【００２３】
受尿器４の材質としては、ポリエチレン、ポリスチレン、ポリプロピレン、ポリ塩化ビニール等のビニール系ポリマーやポリエステル、ポリアミドなどの縮合系ポリマーを用いることができる。また、受尿器４’の材質については、これ以外にも、天然ゴムラテックスやポリウレタンを採用可能である。さらにはこれらに代えて、ＥＰＤＭ（エチレン・プロピレン・ジエン・メチレンゴム）でもよく、あるいはポリアミド（ＰＡ）、ポリエステル、ポリイミド、ポリアミドイミド、ポリアセタール、ポリカーボネート（ＰＣ）、ポリフェニレンエーテル（ＰＰＥ）、ポリブチレンテレフタレート（ＰＢＴ）、ポリエチレンテレフタレート（ＰＥＴ）、ポリエチレン（ＰＥ）、ポリテトラフルオロエチレン（ＰＴＦＥ）あるいはシンジオタクチックポリスチレン（ＳＰＳ）などのエンジニアリングプラスチック材料を用いてもよい。
【００２４】
次に、吸収体５’は、パルプ繊維などの繊維集合体および繊維集合体に担持させた吸水性ポリマー粒子から成る。繊維集合体の繊維材料としては、よく知られているように、パルプ繊維をはじめ、レーヨン繊維、コットン繊維、酢酸セルロースなどの親水性繊維、ポリオレフィン系繊維（ポリエチレンやポリプロピレンなど）、縮合系繊維（ポリエステルやポリアミドなど）が適用可能である。
【００２５】
また、吸水性ポリマー粒子としては、既存の合成樹脂材料として、ポリアクリル酸ナトリウム、アクリル酸ビニルアルコール、ポリアクリル酸ナトリウム橋架体、澱粉アクリル酸グラフト共重合体、イソブチレン無水マレイン酸共重合体、イソブチレン無水マレイン酸共重合体のケン化物、あるいはポリアスパラギン酸などから成る粒子が適用可能である。
【００２６】
図１Ａに示すように、可撓性リング３’の図示上端の左右には、ともに伸縮自在の左紐帯３ａ’および右紐帯３ｂ’がそれぞれ取り付けられている。また、左紐帯３ａ’および右紐帯３ｂ’の各先端部には、第１ファスナー３ｃ’および第２ファスナー３ｄ’が設けられている。可撓性リング３’の図示下端からは、伸縮自在の中間紐帯３ｅ’が延出され、中間紐帯３ｅ’の先端にフック部３ｆ’を設けている。
【００２７】
受尿器４’を使用者Ｕ（男性）の身体に装着する際には、受尿器４’を収縮位置Ｈ１に収縮させた状態で、泌尿器２’を可撓性リング３から受尿器４’に挿通する。この状態で、左紐帯３ａ’および右紐帯３ｂ’を使用者Ｕの左右から腹部Ａｐの回りに配置し、使用者Ｕの背後で第１ファスナー３ｃ’と第２ファスナー３ｄ’とを重ね合せた重合部で連結接合する。この状態で、中間紐帯３ｅ’は、使用者Ｕの股下３ｇ’を潜らせて、フック部３ｆ’を腹部Ａｐの背後で重合部に引っ掛ける。
【００２８】
なお、使用者がパンツ型下着６’をブリーフやトランクスとして着用する際には、可撓性リング３’および受尿器４’は、使用者Ｕが着用するパンツ型下着６’の股当て部６ａ’の内側に、当接状態に配置され保持される構造となる。
【００２９】
図２Ａに示すように、受尿器４’には、可撓性リング３’が形成する開口部分３ｓ’に粘着テープ７’を設けることができる。排尿を受けた受尿器４’は、泌尿器２’から取り外した後、可撓性リング３’を開口部分３ｓ’が閉塞した状態で粘着テープ７’により封止（シール）できる。すなわち、可撓性リング３’の周縁部に取り付けた粘着テープ７’から剥離紙８’を剥がし取り、開口部分３ｓ’を覆うようにして粘着テープ７’を翻し、可撓性リング３’の反対部分に貼着する。これにより、排尿を受尿器４’に封止状態に溜め、排尿を溜めた受尿器４’をそのまま廃棄処理できて便利である。
【００３０】
なお、図２Ｂに変形例として示すように、可撓性リング３’の内周部の半周部分に歯列部３Ａ’を設け、可撓性リング３’の内周部の他の半周部分に凹列部３Ｂ’を設けてもよい。図２Ｃに示すように、該構成では、可撓性リング３’を押圧により弾性変形させて、歯列部３Ａ’と凹列部３Ｂ’とを液密に係合させることにより、受尿器４’を封止することができる。
【００３１】
上記構成によると、男性の泌尿器２’に挿通可能な可撓性リング３’を着脱可能に設け、受尿器４’で排尿を受けることができる。これにより、排尿は有底筒状の受尿器４’の大きな容積で漏れることなく溜められ、排尿後に可撓性リング３’を受尿器４’と一緒に取り外すことで排尿処理を行うことができる。このため、受尿器４’が袋状といった簡素な構成で取り扱い易くなり、手際よく簡易かつ迅速に排尿処理可能で、併せて安価で使い勝手のよいものである。
【００３２】
また、可撓性リング３および受尿器４’は、例えば使用者Ｕが着用するパンツ型下着６’の股当て部６ａ’の内側に当接して保持することができる。このため、パンツ型下着６’が可撓性リング３’および受尿器４’を保持する手段として機能する利点がある。
【００３３】
上記のごとく構成された使い捨て排尿具１’は、疾病による尿失禁患者やトイレへの歩行に困難を伴う患者をはじめ、要介護の高齢者は勿論、高速道路で渋滞の自動車ドライバーや輸送トラックの長時間ドライバーの着用に好適なものである。
【００３４】
（実施の形態２）
図３は、本発明の排尿具セットの第一にかかる一構成例を示すもので、男性が着用するパンツ型下着６’と、上記実施の形態１で詳述した使い捨て排尿具１’とからなる。ただし、図１Ａに示す左紐帯３ａ’、右紐帯３ｂ’、第１ファスナー３ｃ’、第２ファスナー３ｄ’、中間紐帯３ｅ’及びフック部３ｆ’等は省略されている。また、パンツ型下着６’をブリーフやトランクスとして着用する便宜のため、パンツ型下着６’の股当て部６ａ’に収容管部６ｂ’を形成している。このパンツ型下着６’を着用する際には、使い捨て排尿具１’（可撓性リング３’および受尿器４’）が収容管部６ｂ’内に挿脱可能に装着されるようになっている。このため、パンツ型下着６’の装着時に泌尿器２’を伸長させて受尿器４’に収容させた状態で収容管部６ｂ’内に装着させることができる。
【００３５】
この場合も、図４Ａに示す如く、受尿器４’には図２Ａと同様の粘着テープ７Ａ’を設けることができる。排尿を受けた受尿器４’は、泌尿器２’から引出してパンツ型下着６’の外部に取出した後、可撓性リング３’をその開口部分３ｓ’が閉塞した状態で粘着テープ７Ａ’により封止（シール）する（図４Ｄ参照）。図４Ａに示すように、粘着テープ７Ａは、上粘着部７ｘ’と下粘着部７ｙ’とを折目線７ｖ’を境界にして剥離可能に二枚折り重ねたもので、受尿器４’の上端部片側に取り付けられている。
【００３６】
排尿後に粘着テープ７Ａ’を使用する際は、図４Ｂに示すように、まず上粘着部７ｘ’を下粘着部７ｙ’から剥がす。次に、図４Ｃに示すように、剥がした上粘着部７ｘ’および下粘着部７ｙ’を上方に挙げ、図４Ｄに示すように、上粘着部７ｘ’および下粘着部７ｙ’の各接着面７ｕ’，７ｗ’で開口部分３ｓ’を覆うようにして横切らせて、上粘着部７ｘ’側を受尿器４’の他側上端部に貼着すればよい。
【００３７】
（実施の形態３）
図５Ａは、本発明の排尿具セットの第二にかかる一構成例を示すもので、男性が着用する吸収シート１０ａ’を有したおむつ１０’と、実施の形態２と同様の使い捨て排尿具１’とからなる。おむつ１０’の吸収シート１０ａ’には、図５Ａに示すように、股当て部１０ｂ’に排尿具４Ａ’に対応する窪み部１０ｃ’が設けられている。窪み部１０ｃ’の内底部には、排尿具４Ａ’の径寸法Ｄ１よりも若干大きな長さＤ２のスリット状の切込み開口部１１’が形成されている。
【００３８】
排尿具４Ａ’は、図５Ｂに示すように、受尿器４’を収縮させた状態で窪み部１０ｃ’内に設置され、この状態のおむつ１０’を使用者に着用させる。図５Ｂに示すように、受尿器４’は陰茎部２ａ’および陰嚢部２ｂ’を一括して収容可能な大きさに形成され、可撓性リング３’は陰茎部２ａ’および陰嚢部２ｂ’の根元に係合するよう大きさが定められている。
【００３９】
上記の排尿具セットの構成によると、排尿時に排尿を受けて伸長した受尿器４’は、おむつ１０’の切込み開口部１１’を押圧により拡開させ、該切込み開口部１１’から外部に突き出すようになっている。このため、伸張した受尿器４’がおむつ１０’内に止まらなくなり、使用者に違和感を与えず、快適な装着性を損なうことがない。  
【００４０】
（実施の形態４）
図６は、本発明の排尿具セットの第三にかかる一構成例を示すもので、可撓性リング３’および受尿器４’とを有する排尿具４Ａ’とパンツ型おむつ１３’とからなる。パンツ型おむつ１３’の股当て部１３ａ’には、スリット状の切込み開口部１３ｂ’を設けている。
【００４１】
このため、使用者がパンツ型おむつ１３’を着用する場合、排尿時に排尿を受けて伸長した受尿器４’が切込み開口部１３ｂ’を押圧により拡開させ、拡開させた切込み開口部１３ｂ’から外部に突き出る。その結果、伸張した受尿器４’がパンツ型おむつ１３’内に止まらなくなり、使用者に違和感を与えず、快適な装着性を損なうことがない。  
【００４２】
（実施の形態５）
図７は、本発明の使い捨て排尿具の第二にかかる一構成例を示すものである。図７左は該使い捨て排尿具２０’を展開形態で示すものであり、図７右は組立状態の使い捨て排尿具２０’を女性用ショーツ１２１’に適用した状態を示す。使い捨て排尿具２０’は受尿器２２’を備え、長方形状の下シート２３’と、該下シート２３’の図示左右縁（長辺縁）の折目線２３ａ’，２３ｂ’にそれぞれ隣接する形で左右に二等辺三角形シート２４’，２５’が一体化されている。
【００４３】
また、下シート２３の図示前後縁（短辺縁）の折目線２３ｃ’，２３ｄ’にそれぞれ隣接する形で前後に二等辺三角形シート２６’，２７’が一体化されている。図７左の展開状態において、長方形の下シート２３’と４つの二等辺三角形シート２４’〜２７’はひし形をなし（各辺の切欠き部２４ａ’〜２７ａ’側への仮想的な延長線を一点鎖線にて補っている）、ひし形の各辺の中点を連結する形で前述の折目線２３ａ’〜２３ｄ’が形成されている。二等辺三角形シート２４’〜２７’は折目線２３ａ’〜２３ｄ’にて下シート２３’側に折り返されることにより、図７左に示すように、下シート２３’に対し上下に重なり、袋状を成す長方形の上シートとして機能する。左右の二等辺三角形シート２４’，２５’の各頂角部には、弧状の切欠き部２４ａ’，２５ａ’が形成されている。前後の二等辺三角形シート２６’，２７’の各頂角部もまた、弧状の切欠き部２６ａ’，２７ａ’を形成している。
【００４４】
そして、下シート２３’の中央部に縦長の長円形を成す可撓性リング２８’が配置され、左右の二等辺三角形シート２４’，２５’を折目線２３ａ’，２３ｂ’に沿って内側に折り曲げた形で、切欠き部２４ａ’，２５ａ’が可撓性リング２８’の対応部分に接合固定されている。この際、二等辺三角形シート２４’、２５’の対応する斜辺同士はファスナーｆ１，ｆ２（ｆ３，ｆ４）により接合固定される。
【００４５】
また、前後の二等辺三角形シート２６’，２７’もまた折目線２３ｃ’，２３ｄ’に沿って内側に折り曲げられ、切欠き部２６ａ’，２７ａ’が可撓性リング２８’の対応部分に接合固定される。この際、二等辺三角形シート２６’の斜辺は、ファスナーｆ５，ｆ７により二等辺三角形シート２４’、２６’のファスナーｆ３，ｆ４に接合固定され、二等辺三角形シート２７’の斜辺は、ファスナーｆ６，ｆ８により二等辺三角形シート２４’、２６’のファスナーｆ１，ｆ２に接合固定される。これにより、内部に吸収体５’を収容した袋状の受尿器２２が形成される。
【００４６】
可撓性リング２８’は、女性の泌尿器（図示せず）に当接可能かつ着脱可能とされており、受尿器２２’は可撓性リング２８’に連通状態に連結されている。女性用ショーツ１２１’の着用時において受尿器２２’は、女性用ショーツ１２１’の股当て部２１ａ’に設置され、泌尿器を可撓性リング２８’に当接させた状態で使用者の身体に装着される。
【００４７】
上記の構成では、女性の泌尿器に当接可能な可撓性リング２８’を着脱可能に設け、排尿を袋状の受尿器２２’で受けるようにした。これにより、排尿は袋状を成す受尿器２２’の大きな容積で漏れることなく溜められ、排尿後に可撓性リング２８’を受尿器２２’と一緒に取り外すことで排尿処理を行うことができる。
【００４８】
このため、受尿器２２’が簡素な構成で取り扱い易くなり、手際よく簡易かつ迅速に排尿処理可能で、併せて安価で使い勝手のよいものである。なお、袋状の受尿器２２’は長方形に限らず、円形や長円形でもよく、三角形、平行四辺形、五角形、六角形あるいは７角形や８角形を含む多角形であってもよい。また、可撓性リング２８’を省いて、受尿器２２’の可撓性リング２８’に対応した部分に、女性の泌尿器に面する開口部を設けてもよい。
【００４９】
上記の使い捨て排尿具及び排尿具セットは、高速道道路などで緊急に用便する必要があるときに使用する他、老人介護用に使用してもよく、とりわけ実施の形態５に示す使い捨て排尿具では、ナプキンなど女性の生理用品として使用してもよいなど、状況や環境に配慮して各種の場合に応じて適宜に使用する多用途化を図ることができる。
【産業上の利用可能性】
【００５０】
本発明に係る使い捨て排尿具及び排尿具セットは、袋状の受尿器が簡素な構成で取り扱い易くなり、手際よく簡易かつ迅速に排尿処理可能で、併せて安価で使い勝手のよいため、使い捨て排尿具の関連部品の需要を喚起し、その製造・流通を介して化学・機械産業界に貢献する。
【符号の説明】
【００５１】
１’  使い捨て排尿具
３’  可撓性リング  
４’  受尿器
４Ａ’  排尿具
６’  パンツ型下着
７’  粘着テープ
２３’  下シート
２４’，２５’  左右の二等辺三角形シート（上シート）
２６’，２７’  前後の二等辺三角形シート（上シート）
Ｈ１  収縮位置
Ｈ２  伸長位置
Ｕ    使用者
【図１Ａ】
2020062397.tif 000003
【図１Ｂ】
2020062397.tif 000004
【図２Ａ】
2020062397.tif 000005
【図２Ｂ】
2020062397.tif 000006
【図２Ｃ】
2020062397.tif 000007
【図３】
2020062397.tif 000008
【図４Ａ】
2020062397.tif 000009
【図４Ｂ】
2020062397.tif 000010
【図４Ｃ】
2020062397.tif 000011
【図４Ｄ】
2020062397.tif 000012
【図５Ａ】
2020062397.tif 000013
【図５Ｂ】
2020062397.tif 000014
【図６】
2020062397.tif 000015
【図７】
2020062397.tif 000016